(57)【要約】【課題】アドレス指定されたデータを、トランスポートストリーム（ＴＳ）のトランスポートパケット内にカプセル化されたセクションの中に組み込む。【解決手段】中央送信ステーション６０と復号器１２とを備えたディジタル放送システムにおいてディジタル情報を送信する装置は、データセクションをパケットのペイロード内にカプセル化するパケットのストリームを有するＴＳを送信する手段であって、カプセル化されたセクションは、復号器がセクションを受信するのを制御するのに使用されるＭＡＣアドレスを含む該手段と、ＭＡＣアドレスを動的に割当てる手段と、アドレス割り当てメッセージにおける固定ＩＰアドレスを使用して復号器と通信する手段とを備えている。ＭＡＣアドレスは、マルチキャストサービス、接続ユニキャストサービス、非接続ユニキャストサービスからなる群から選択される１つである、復号器によって要求されるサービスのタイプに基づく。【選択図】図６
2011015422.tif 000002
【特許請求の範囲】
【請求項１】
中央送信ステーションおよび少なくとも１つの復号器を備えたディジタル放送システムにおいてディジタル情報を送信する装置であって、
データセクションをパケットのペイロード内にカプセル化するパケットのストリームを有する少なくとも１つのトランスポートストリームを送信する手段であって、少なくとも１つのカプセル化されたセクションは、少なくとも１つの復号器が前記セクションを受信するのを制御するのに使用される少なくとも１つの媒体アクセス制御（ＭＡＣ）アドレスを含む、前記送信する手段と、
前記少なくとも１つのＭＡＣアドレスを動的に割当てる手段と、
アドレス割り当てメッセージにおける固定インターネットプロトコルアドレスを使用して前記少なくとも１つの復号器と通信する手段とを備え、
前記少なくとも１つのＭＡＣアドレスは、前記復号器によって要求されるサービスのタイプに基づいており、前記要求されるサービスのタイプは、マルチキャストサービス、接続ユニキャストサービス、および非接続ユニキャストサービスからなる群から選択される１つである、前記装置。
【請求項２】
復号器および中央送信ステーションを備え、前記復号器が、前記中央送信ステーションから、データセクションをパケットのペイロード内にカプセル化するパケットのストリームを有する少なくとも１つのトランスポートストリームを受信するディジタル放送システムにおいてディジタル情報を受信する方法であって、
前記復号器は、少なくとも１つのカプセル化されたセクション内に含まれる媒体アクセス制御（ＭＡＣ）アドレスを使用して、前記セクションの受信を制御し、
前記ＭＡＣアドレスは、アドレス割り当てメッセージにおける固定インターネットプロトコルアドレスで受信され、
前記ＭＡＣアドレスは、前記復号器によって要求されるサービスのタイプに基づいており、前記要求されるサービスのタイプは、マルチキャストサービス、接続ユニキャストサービス、および非接続ユニキャストサービスからなる群から選択される１つである、前記方法。
【請求項３】
前記アドレス割り当てメッセージは、前記復号器によって前記中央送信ステーションに送信されるＭＡＣアドレス要求に応答して受信される、請求項２に記載の方法。
【発明の詳細な説明】
【技術分野】
【０００１】
本発明は、ディジタル伝送システム、特にディジタルテレビジョンシステムのようなディジタル放送システムにおいて、アドレス情報を割り当てる方法に関する。
【背景技術】
【０００２】
現在のディジタルテレビジョンシステムは、データをばらばらのトランスポートストリームパケットとして送信し、それぞれのパケットは、予め定められた長さを有し、ヘッダーとペイロードを含む。伝送システムにおいては、中央伝送ステーションは、１つかまたはそれ以上のパケットストリームを、「放送」によって、復号器のある領域に送信し、復号器は、そのパケットストリームを受信して組み立て直す。それぞれのステーションは、いくつかの異なる周波数によって、いくつかのパケットストリームを送信してもよい。
【０００３】
ストリーム内のパケットのパケットヘッダーは、そのパケットに関する一般的な記述データからなり、ペイロードは、受信器側で処理されるべきデータからなる。パケットヘッダーは、少なくとも、そのパケットを識別するパケットＩＤすなわちＰＩＤを含む。パケットのペイロードは、オーディオデータ、ビデオデータ、または、中央伝送ステーションによってインターネット接続から得られたデータのようなその他のデータを含んでもよい。ＰＩＤパケットのペイロード内にあるこの種のデータは、それ自身が、いくつかのテーブルまたはセクションにさらに分割されてもよく、それらは、テーブルＩＤすなわちＴＩＤ値によって識別され、また、さらに細かくには、ＴＩＤ拡張値によって識別される。ＭＰＥＧ−２規格は、現在、この分野において推奨されている規格であり、そのようなパケットのための予め定められたフォーマットを提案している。
【０００４】
ディジタル放送システムにおいては、これまでに条件付きアクセスにだけ使用されてきた、あるいは、ＭＰＥＧ−２符号化信号を復号するためにだけ使用されてきた復号器は、現在、いくつかのますます高度化した機能を含む。より詳細には、インターネットとのリンクを提供して、ユーザがインターネットを閲覧するのを可能にするために、ＰＣから独立して、あるいは、ＰＣと協働して動作する復号器を使用することが、多くのシステムにおいて提案されてきた。しばしば、ハイブリッド放送／通信コンフィギュレーションが、使用され、それによれば、ウェブページは、復号器によって、テレコムリンクを介して中央ステーションに要求され、中央ステーションによって、得られ、放送リンクを介して復号器へ送信される。
【０００５】
インターネットデータは、それ自身が、特に、そのようなデータ（いわゆる、「データグラム」）のための予め定められたフォーマットを提案しているＴＣＰ／ＩＰプロトコルに基づいて編成される。ネットワーク間でデータグラム情報が自由に循環するのを可能にするために、データグラムパケットは、いくつかのレベルにおいて、アドレスを含む。より詳細には、それぞれのデータグラムは、一般に、ネットワーク層においては、ＩＰアドレスによってアドレス指定され、データリンク層においては、媒体アクセス制御アドレスすなわちＭＡＣアドレスによってアドレス指定される。
【０００６】
所定のネットワークユーザにメッセージを送信することは、ＩＰアドレスだけを使用してＭＡＣアドレスを決定する方法がサブネット内にはあるにしても、一般には、それのＭＡＣアドレスおよびＩＰアドレスの両方によって、ユーザをアドレス指定することを必要とする。ネットワークマネジャによって割り当てられるＩＰアドレスと違って、ＭＡＣアドレスは、一般には、それが製造されたときに装置に設定される。
インターネットフォーマットデータグラムを放送トランスポートパケット内に組み込むには、カプセル化処理を規定するためのいくつかの規格を開発しなければならない。ＭＰＥＧに関連するＩＳＯ規格１３８１８−６において、ストリーム内でＤＳＭ−ＣＣカルーセルを用いたそのようなデータのためのフォーマットが、規定されている。
【０００７】
その他のグループ、特に、ディジタルビデオ放送（Ｄｉｇｉｔａｌ  Ｖｉｄｅｏ  Ｂｒｏａｄｃａｓｔｉｎｇ）グループすなわちＤＶＢグループによってなされた研究は、この規格を補完および完成させたものである。より詳細には、ＤＶＢが提案するＥＴＳＩ規格ＥＮ３０１  １９２は、ＩＰデータグラムを伝送するようになされたＭＰＥＧ−２トランスポートパケット内にあるテーブルまたはセクションのための標準フォーマットを提案している。この規格は、ＭＡＣアドレスおよびＩＰアドレスによってユーザへアドレス指定されたそのようなデータグラムが、トランスポートストリームのトランスポートパケット内にカプセル化されたテーブルまたはセクションの中にどのようにして組み込まれるかを指示し、また、どのようなその他の情報が、一般に、そのようなセクションに存在すべきかを指示するものである。
【発明の概要】
【０００８】
第１の実施形態においては、本発明は、放送トランスポートストリーム内のカプセル化されたアドレス指定されたメッセージ、特に、限定はしないが、ＭＰＥＧ−２トランスポートストリームのセクション内に組み込まれたＩＰデータグラムを送信するための最適な方法に関する。
本発明は、中央送信ステーションおよび少なくとも１つの復号器を備えたディジタル放送システムにおいてディジタル情報を送信する方法を提供し、中央送信ステーションは、データセクションをパケットのペイロード内にカプセル化するパケットストリームからなる少なくとも１つのトランスポートストリームを送信し、少なくとも１つのカプセル化されたセクションは、少なくとも１つの復号器がそれを受信するのを制御するのに使用されるアクセス制御アドレスを含み、アクセス制御アドレスは、中央送信ステーションによって定義され、そして、アドレス割り当てメッセージによって、前記少なくとも１つの復号器に通知される。
【０００９】
本発明の第１の実施形態によれば、中央送信ステーションおよび１つかまたはそれ以上の復号器を備えたディジタル放送システムにおいてディジタル情報を送信する方法が提供され、中央ステーションは、データテーブルまたはセクションをパケットのペイロード内にカプセル化するパケットのストリームからなる少なくとも１つのトランスポートストリームを送信し、１つかまたはそれ以上のカプセル化されたセクションは、１つかまたはそれ以上の復号器がそのセクションを受信するのを制御するのに使用されるアクセス制御アドレスを含み、そして、アクセス制御アドレスは、中央送信ステーションによって定義され、アドレス割り当てメッセージによって、それぞれの復号器に通知される。
【００１０】
従来の放送システムおよびネットワークシステムにおいては、一般に、決められた媒体アクセス制御アドレスが、使用される。これは、例えば、復号器が製造されたときにそれのモデムカード内に設定されたＭＡＣアドレスに対応してもよい。そのようなシステムにおいては、中央送信ステーションは、復号器から中央ステーションまたはデータグラムのルーティングを管理する最も近いルータに通知されるこの値を制御することができない。
対照的に、本発明においては、中央送信ステーションは、システム内に存在する復号器にアクセス制御値を割り当てること、そのような値を動的に割り当てるのを可能にすること、そして、中央送信ステーションのレベルで、システムによって処理されるべきアドレスの数およびフォーマットをより完璧に制御することに責任を有する。
【００１１】
本発明は、中央送信ステーションについて述べるが、アドレスメッセージの割り当ては、実際には、情報を放送する責任のある送信ステーションに報告する物理的に分離したルーティング装置によって処理されてもよいことを理解されたい。
好ましくは、セクションは、インターネットプロトコルデータを含むのに使用されるデータグラムセクションに対応し、そのセクション内に含まれるデータは、また、インターネットプロトコルアドレスを含む。しかしながら、明らかなように、本発明は、トランスポートパケットストリーム内にカプセル化されたテーブルまたはセクション内に含まれ、かつ、アクセス制御アドレスによって、１つかまたはそれ以上の復号器へアドレス指定されたその他の種類のデータに同じように適用されてもよい。
【００１２】
上述したように、ハイブリッドテレコム／放送システムにおいては、復号器は、一般には、インターネットプロトコルデータを得るための要求を、テレコムリンクを介して送信し、アクセス制御アドレスによって識別され、かつ、トランスポートパケットストリーム内にカプセル化されたデータセクション内のダウンロード情報を放送リンクを介して受信する。
しかしながら、１つの実施形態においては、１つかまたはそれ以上の復号器へ宛てられ、かつ、アクセス制御アドレスによって識別されるいくつかのまたはすべてのセクションデータは、中央送信ステーションから通信ネットワークを介してそれぞれの復号器に伝達されてもよい。特に、インターネットデータは、アクセス制御アドレスを用いて、テレコムネットワークを介して送信されてもよい。
【００１３】
好ましくは、復号器は、そのような通信ネットワークを介して、アクセス制御アドレスを得るための要求を中央ステーションに送信してもよい。また、同じようにして、アドレス割り当てメッセージが、通信ネットワークリンクを用いて、中央送信ステーションからその復号器に返信されてもよい。
割り当てられたアクセス制御アドレスを要求してそれを得るために、テレコムリンクを使用することによって、復号器は、その後に、インターネットを閲覧するセッションにおいて得られる情報を伝達するときに使用されるアクセス制御アドレスを迅速に得ることができる。
【００１４】
好ましくは、復号器によって送信されるアドレス要求メッセージは、中央送信ステーションのために、その復号器を識別するインターネットプロトコル番号を含む。このＩＰ番号は、一般には、ネットワークマネジャまたは放送オペレータによって割り当てられ、オペレータによってそれの加入者に割り当てられたＩＤ値に加えて、あるいは、そのようなＩＤ値の代わりに、復号器を識別することに使用されてもよい。
好都合には、復号器によって送信されるアドレス要求メッセージは、また、復号器が、ユニキャストモードまたはマルチキャストモードでメッセージを受信することを望んでいるかどうかの指示を含む。この要求に応答して、中央送信ステーションは、アドレス割り当てメッセージによって、固有または共用の制御アドレスを送信する。
【００１５】
例えば、ユーザが、中央ステーションによって、ユーザからのある特定の要求に応答して、ある特定のウェブページを提供されるインターネット閲覧セッションの場合には、固有のアドレスが、要求されてもよく、そして、ユーザのグループに宛てられた情報をアドレス指定するには、マルチキャストアドレスが、使用されてもよい。
ユニキャストアドレスの場合、これは、復号器から受信されたアドレス要求に応じて、セッションの開始時点で割り当てられた動的なアドレスであってもよい。あるいは、アドレスは、ユーザが最初に中央送信ステーションに接続された時点で割り当てられ、その後、それに続くすべての通信に使用されてもよい。
ユニキャスト要求情報およびマルチキャスト要求情報に加えて、アドレス要求メッセージは、さらに、復号器が、通信ネットワークを介してデータを受信するために、アドレス要求メッセージを通知した後に、接続された状態を維持するのかどうかの指示を含んでもよい。
【００１６】
上述したように、中央送信ステーションは、いくつかのトランスポートパケットストリームで、また、それぞれのトランスポートパケットストリーム内のいくつかのサービスでデータを放送してもよい。好ましくは、アドレス割り当てメッセージは、さらに、それぞれの復号器が、複数のトランスポートパケットストリームの中から、アクセス制御アドレスに関連するデータを含むトランスポートパケットストリームを選択するのを可能にする情報を含む。
さらに、アドレス割り当てメッセージは、さらに、それぞれの復号器が、トランスポートパケットストリーム内の複数のサービスの中から、アクセス制御アドレスに関連するデータを含むサービスを選択するのを可能にする情報を含んでもよい。
【００１７】
サービスは、また、様々な種類のデータまたはデータストリーム（オーディオ、ビジュアル、ＩＰデータ、など）に関連するかもしれないので、アドレス割り当てメッセージは、さらに、そのサービスによって伝送されるデータストリームに関連し、かつ、割り当てられたアクセス制御アドレスに対応するパケット化されたデータを含むデータストリームを識別する情報を含んでもよい。
また、中央送信ステーションは、アドレスデータが伝送されるべきトランスポートパケットストリームおよび／またはサービスを動的に制御し、それによって、１つかまたはそれ以上のトランスポートストリームの中に含まれる情報を放送するのを最適化してもよい。
例えば、条件付きアクセスシステムを含むディジタル放送システムの場合、中央制御ステーションによって送信されるいくつかのまたはすべてのセクションデータは、暗号化されてもよい。
【００１８】
上述した本発明の実施形態は、ディジタルテレビジョンシステムのようなディジタル放送システムに関連して説明したが、ＭＡＣアドレスの動的な割り当ては、例えば、固定通信ネットワークを排他的に使用するシステムなど、その他のシステムにも適用することができる。
さらなる特徴によれば、本発明は、少なくとも１つの中央制御ステーションおよび複数の遠隔端末を備えたディジタル通信ネットワークにおいてデータグラムパケットの通信を行う方法からなり、この方法においては、データグラムパケットは、少なくとも、ネットワークの１つの通信層に対応する媒体アクセス制御アドレスと、ネットワークの第２の通信層に対応するインターネットプロトコルアドレスとを含み、媒体アクセス制御アドレスは、遠隔端末からの要求に応答して、中央制御ステーションによって動的に割り当てられる。
【００１９】
さらに、本発明は、データセクションをパケットのペイロード内にカプセル化するパケットのストリームからなるトランスポートストリームを復号器に送信するための装置を提供し、少なくとも１つのカプセル化されたセクションは、復号器がそれを受信するのを制御するのに使用されるアクセス制御アドレスを含み、前記装置は、例えば、サーバのような、アクセス制御アドレスを定義するための手段と、例えば、送信器のような、アドレス割り当てメッセージによって、そのアクセス制御アドレスを前記復号器に通知するための手段とを備える。
本発明の方法の特徴に関する上述した機能は、装置の特徴にも適用することができ、さらに、その逆もまた可能である。
【００２０】
ここで使用される「受信器／復号器」または「復号器」という用語は、例えば、なんらかのその他の手段によって放送または送信されてもよいテレビジョン信号および／またはラジオ信号のような、符号化された信号かまたは符号化されていない信号のいずれかを受信するための受信器を意味してもよい。また、この用語は、受信した信号を復号するための復号器を意味してもよい。そのような受信器／復号器の実施形態には、例えば、「セットトップボックス」において、受信した信号を復号するための受信器と一体化された復号器、物理的に分離された受信器と協働して動作する復号器、または、ウェブブラウザのようなさらなる機能を含む復号器、または、ビデオレコーダまたはテレビのようなその他の装置と一体化された復号器、が含まれてもよい。
【００２１】
また、ここでの「復号器」または「受信器／復号器」という用語には、復号器／ＰＣコンフィギュレーションが含まれ、そこでは、ＰＣのモデムなどを介してアドレス要求メッセージを送信するような、本発明に関するいくつかの機能またはすべての機能は、ＰＣによって処理されてもよい。
ここで使用されるように、「ディジタル放送システム」という用語には、良く知られている放送フォーマットによって、中央ステーションから複数のユーザへ情報を放送するあらゆるディジタルシステムが含まれ、また、例えば、あらゆる衛星、地上、ケーブル、または、その他のディジタルテレビジョンシステムが含まれる。
【００２２】
ＭＰＥＧという用語は、国際標準化機構（Ｉｎｔｅｒｎａｔｉｏｎａｌ  Ｓｔａｎｄａｒｄｓ  Ｏｒｇａｎｉｓａｔｉｏｎ）作業グループである「動画像符号化専門家グループ（Ｍｏｔｉｏｎ  Ｐｉｃｔｕｒｅｓ  Ｅｘｐｅｒｔ  Ｇｒｏｕｐ）」によって開発されたデータ伝送規格、特に、限定はしないが、ディジタルテレビジョン用に開発されたＭＰＥＧ−２規格を意味し、ＭＰＥＧに関連するＤＳＭ−ＣＣ規格ＩＳＯ１３８１８−６とともに、ドキュメントＩＳＯ１３８１８−１、ＩＳＯ１３８１８−２、ＩＳＯ１３８１８−３、および、ＩＳＯ１３８１８−４に記載されている。本出願において、この用語には、ディジタルデータ伝送の分野に応用できるＭＰＥＧフォーマットのあらゆる変形、変更、または、発展形態が含まれる。
ＤＶＢまたはＥＴＳＩ規格に関しては、これらには、ＤＶＢによって提案され、および／または、ディジタルテレビジョンの分野に関連するＥＴＳＩによって承認されたあらゆる規格、そして、それらのあらゆる変形、変更、または、発展形態が含まれる。特に、本出願においては、ＥＴＳＩ規格ＥＮ３０１  １９２が参照される。
【００２３】
ここで、ただ単に例として、図面を参照して、本発明の好ましい実施形態を説明する。
【図面の簡単な説明】
【００２４】
【図１】既知のディジタルＴＶシステムの全体アーキテクチャを示す図であり、これは、本発明に基づいて改造されてもよい。
【図２】図１の条件付きアクセスシステムのアーキテクチャを示す図である。
【図３】トランスポートパケットストリーム内のＭＰＥＧ−２パケットの階層を示す図である。
【図４】ＩＰデータをカプセル化するのに使用されるＤＳＭ−ＣＣデータグラムセクションのシンタックスを示す図である。
【図５】図４に示されるデータグラムセクション内のＭＡＣアドレスのマップを示す図である。
【図６】本発明のこの実施形態によるハイブリッド放送およびテレコムネットワークシステムのアーキテクチャを示す図である。
【図７】本発明のこの実施形態による、放送センターからユーザに送信されるサービスアドレスメッセージの要素を示す図である。
【発明を実施するための形態】
【００２５】
ディジタルテレビジョンシステム
本発明の実施形態を詳細に説明する前に、ここで、背景として、既知のシステムの概要を説明する。
ディジタルテレビジョン放送受信システム１が、図１に示され、ほとんどが従来技術によるディジタルテレビジョンシステム２を備え、これは、圧縮されたディジタル信号を送信するために、ＭＰＥＧ−２圧縮システムを使用する。より詳細には、放送センター内のＭＰＥＧ−２圧縮器３は、ディジタル信号ストリーム（例えば、オーディオ信号、ビデオ信号、または、一般的なデータ信号などのストリーム）を受信する。圧縮器３は、リンケージ５によって、多重化装置およびスクランブラ４に接続される。多重化装置４は、複数のさらなる入力信号を受信し、１つかまたはそれ以上のトランスポートストリームを組み立て、圧縮されたディジタル信号をリンケージ７を介して放送センターの送信器６へ送信する。
【００２６】
送信器６は、電磁信号をアップリンク８を介して衛星トランスポンダ９へ送信し、そこで、それらの信号は、電子的に処理され、概念的なダウンリンク１０を介して、地上受信器１１へ放送される。地上受信器１１は、通常は、エンドユーザが所有するかまたは賃借するアンテナの形態を有する。受信器１１によって受信された信号は、エンドユーザが所有するかまたは賃借し、エンドユーザのテレビ１３に接続され、かつ、一体化された受信器／復号器１２へ送信される。受信器／復号器１２は、テレビ１３のために、圧縮されたＭＰＥＧ−２信号をテレビジョン信号に復号する。
【００２７】
また、以下で説明するように、特に、ユーザが、インターネットアクセスを提供するための復号器を使用している場合、復号器１２は、ＰＣに接続されてもよい。さらに、以下の説明からわかるように、本発明は、主として、衛星放送システムに関して説明されるが、同じように、ケーブルＴＶまたは地上テレビジョンに基づいたシステムに関連して使用されてもよい。
【００２８】
条件付きアクセスシステム２０は、多重化装置４および受信器／復号器１２に接続され、一部が放送センター内に配置され、一部が復号器内に配置される。システム２０は、エンドユーザが、１つかまたはそれ以上の放送提供業者からのディジタルテレビジョン放送にアクセスするのを可能にする。商品（すなわち、放送提供業者によって販売される１つかまたは複数のテレビ番組）に関連するメッセージを暗号解読することのできるスマートカードを受信器／復号器１２に挿入することができる。復号器１２およびスマートカードを用いることによって、エンドユーザは、講読モードかまたはペイパービューモードのいずれかでイベントを購入することができる。
【００２９】
さらに、多重化装置４および受信器／復号器１２に接続され、かつ、この場合もやはり、一部が放送センター内に配置され、一部が復号器内に配置された会話型システム１７が、提供され、エンドユーザが、モデムを用いたバックチャンネル１６を介して様々なアプリケーションと会話するのを可能にしてもよい。特に、復号器が、インターネットアクセスを提供するために使用される場合、復号器と放送センターとの間の情報は、衛星リンクを介して放送されるよりも、むしろ、モデムチャンネルを介して送信されるほうがよいかもしれない。この種のハイブリッド放送テレコムシステムは、この技術分野で良く知られているものである。
【００３０】
ここで、条件付きアクセスシステム２０についてより詳細に説明する。図２を参照すると、大まかには、条件付きアクセスシステム２０は、加入者認証システム（Ｓｕｂｓｃｒｉｂｅｒ  Ａｕｔｈｏｒｉｚａｔｉｏｎ  Ｓｙｓｔｅｍ：ＳＡＳ）２１を含む。ＳＡＳ２１は、それぞれのＴＣＰ−ＩＰリンケージ２３（別の種類のリンケージが代わりに使用されてもよいが）によって、１つかまたはそれ以上の加入者管理システム（Ｓｕｂｓｃｒｉｂｅｒ  Ｍａｎａｇｅｍｅｎｔ  Ｓｙｓｔｅｍ：ＳＭＳ）２２に接続され、放送提供業者ごとに１つのＳＭＳが存在する。あるいは、１つのＳＭＳが、２つの放送提供業者間で共有されてもよく、あるいは、１つの放送提供業者が、２つのＳＭＳを使用するなどしてもよい。
【００３１】
「マザー」スマートカード２５を利用した暗号化ユニット２４の形態を有する第１の暗号化ユニットが、リンケージ２６によってＳＡＳ２１に接続される。同じように、マザースマートカード２８を利用した暗号化ユニット２７の形態を有する第２の暗号化ユニットが、リンケージ２９によって多重化装置４に接続される。受信器／復号器１２は、「マザー」スマートカードによって暗号化されたメッセージを暗号解読するために、復号器によって「ドーター」スマートカード３０を収容する。それは、通信サーバ（Ｃｏｍｍｕｎｉｃａｔｉｏｎ  Ｓｅｒｖｅｒ）３１によって、モデムを用いたバックチャンネル１６を介して、ＳＡＳ２１に直接に接続される。ＳＡＳ２１は、数あるなかでも特に、要求があり次第、講読権をドータースマートカード３０に送信する。
【００３２】
第１および第２の暗号化ユニット２４および２７は、ラック、ＥＥＰＲＯＭに記憶されたソフトウェアを備えた電子的なＶＭＥカード、最大２０までの電子的カード、および、それぞれの電子的カードごとに、１つのスマートカード２５および２８のそれぞれを備え、１つのカード２８は、ＥＣＭを暗号化するためのものであり、また、１つのカード２５は、ＥＭＭを暗号化するためのものである。
【００３３】
多重化装置およびスクランブラ
図１および図２を参照すると、放送センターにおいて、ディジタルオーディオ信号またはディジタルビデオ信号が、まず最初に、ＭＰＥＧ−２圧縮器３を用いて圧縮される（すなわち、ビットレートを低減される）。そして、この圧縮された信号は、その他の圧縮されたデータのようなその他のデータとともに多重化されるために、リンケージ５を介して、多重化装置およびスクランブラ４に送信される。
スクランブラは、スクランブル処理で使用され、かつ、多重化装置において、ＭＰＥＧ−２ストリーム内に含められる制御ワードを生成する。制御ワードは、内部的に生成され、エンドユーザの一体化された受信器／復号器１２が、番組をデスクランブルするのを可能にする。
【００３４】
さらに、番組がどのように販売されるかを指示するアクセス基準が、ＭＰＥＧ−２ストリームに付加される。番組は、いくつかの「視聴予約」モードの中の１つおよび／またはいくつかの「ペイパービュー（Ｐａｙ  Ｐｅｒ  Ｖｉｅｗ：ＰＰＶ）」モードの中の１つかまたはイベントのいずれか１つによって販売されてもよい。加入モードにおいては、エンドユーザは、１つかまたはそれ以上の商品または「ブーケ（ｂｏｕｑｕｅｔ）」を視聴予約し、それによって、それらのブーケの中のあらゆるチャンネルを視聴する権利を得る。好ましい実施形態においては、最大９６０までの商品をチャンネルのブーケから選択することができる。
【００３５】
権利制御メッセージ
制御ワードおよびアクセス基準の両方が、権利制御メッセージ（Ｅｎｔｉｔｌｅｍｅｎｔ  Ｃｏｎｔｒｏｌ  Ｍｅｓｓａｇｅ：ＥＣＭ）を組み立てるのに使用される。これは、スクランブルされた番組に関連して送信されるメッセージであり、このメッセージは、制御ワード（これは番組のデスクランブルを可能にする）および放送番組のアクセス基準を含む。アクセス基準および制御ワードは、リンケージ２９を介して、第２の暗号化ユニット２７に送信される。このユニットにおいて、ＥＣＭが、生成され、暗号化され、多重化装置およびスクランブラ４に送信される。放送中、典型的には、制御ワードは、数秒ごとに変化し、そのために、ＥＣＭもまた定期的に送信され、変化する制御ワードが、デスクランブルされるのを可能にする。冗長性を持たせるために、典型的には、それぞれのＥＣＭは、２つの制御ワード、すなわち、現在の制御ワードおよび次の制御ワードを含む。
【００３６】
権利管理メッセージ（Ｅｎｔｉｔｌｅｍｅｎｔ  Ｍａｎａｇｅｍｅｎｔ  Ｍｅｓｓａｇｅ：ＥＭＭ）
ＥＭＭは、個々のエンドユーザ（加入者）、または、エンドユーザのグループに排他的に提供されるメッセージである。それぞれのグループは、任意の数のエンドユーザを含んでもよい。グループとしてのこの団体は、帯域幅を最適化するためのものである。すなわち、１つのグループへのアクセスは、多数のエンドユーザにアクセスするのを可能にすることができる。様々な独特な種類のＥＭＭが、使用されてもよい。個別ＥＭＭは、個々の加入者に排他的に提供され、典型的には、ペイパービューサービスを提供するのに使用され、これらは、グループ識別子およびそのグループに存在する加入者の状態を含む。その他のＥＭＭの種類には、グループまたは視聴者のＥＭＭが含まれる。
【００３７】
加入者管理システム（Ｓｕｂｓｃｒｉｂｅｒ  Ｍａｎａｇｅｍｅｎｔ  Ｓｙｓｔｅｍ：ＳＭＳ）
加入者管理システム（ＳＭＳ）２２は、数あるなかでも特に、すべてのエンドユーザファイル、商品、視聴予約、ＰＰＶの詳細、および、エンドユーザの利用料金および認証に関するデータを管理するデータベース３２を含む。ＳＭＳは、ＳＡＳから物理的に離れていてもよい。それぞれのＳＭＳは、それぞれのリンケージ２３を介してメッセージをＳＡＳ２１に送信し、それは、エンドユーザに送信されるべき権利管理メッセージ（ＥＭＭ）の変更または生成に関するものである。
また、ＳＭＳ２２は、メッセージをＳＡＳ２１に送信し、それは、ＥＭＭの変更または生成に関するものではなく、（製品を注文するときにエンドユーザに与えられる認証またはエンドユーザに課される料金に与えられる認証に関する）エンドユーザの状態の変更だけに関するものである。
ＳＡＳ２１は、（典型的には、コールバック情報または課金情報のような情報を要求する）メッセージをＳＭＳ２２に送信する。そのために、二者間の通信が双方向であることは明らである。
【００３８】
加入者認証システム（Ｓｕｂｓｃｒｉｂｅｒ  Ａｕｔｈｏｒｉｚａｔｉｏｎ  Ｓｙｓｔｅｍ：ＳＡＳ）
ＳＭＳ２２によって生成されたメッセージは、リンケージ２３を介して、加入者認証システム（ＳＡＳ）２１に送信され、そして、ＳＡＳ２１は、ＳＭＳ２２によって生成されたメッセージを受信したことを確認するメッセージを生成し、これらの確認応答をＳＭＳ２２に送信する。
大まかには、ＳＡＳは、視聴予約モードに権利を与えるために、そして、権利を毎月自動的に更新するための視聴予約連鎖領域、ＰＰＶイベントに権利を与えるためのペイパービュー連鎖領域、および、視聴予約連鎖領域およびペイパービュー連鎖領域によって生成されたＥＭＭを多重化装置およびスクランブラ４に送信するための、すなわち、ＭＰＥＧストリームにＥＭＭを供給するためのＥＭＭインジェクター（ＥＭＭ  Ｉｎｊｅｃｔｏｒ）を備える。ユーザのパーソナルコンピュータにコンピュータソフトウェアをダウンロードするとき、ペイパーファイル（ＰＰＦ）権のようなその他の権利が与えられなければならない場合には、さらに、別の類似する領域が提供される。
ＳＡＳ２１の１つの機能は、視聴予約モードによって商品として入手することのできる、あるいは、販売の様々なモード（プレブックモード、インパルスモード）によってＰＰＶイベントとして売られているテレビ番組へのアクセス権を管理することである。ＳＡＳ２１は、これらの権利およびＳＭＳ２２から受信した情報に基づいて、暗号化ユニット２４と協働して、加入者のためのＥＭＭを生成する。
【００３９】
番組の送信
多重化装置４は、暗号化されたＥＭＭを備えた電気的な信号をＳＡＳ２１から受信し、暗号化されたＥＣＭを第２の暗号化ユニット２７から受信し、圧縮された番組を圧縮器３から受信する。多重化装置４は、番組をスクランブルし、そのスクランブルされた番組、暗号化されたＥＭＭ、および、暗号化されたＥＣＭを、リンケージ７を介して、放送センターの送信器６に送信する。送信器６は、アップリンク８を介して、電磁信号を衛星トランスポンダ９に送信する。
【００４０】
番組の受信
衛星トランスポンダ９は、送信器６によって送信された電磁信号を受信および処理し、その信号を、ダウンリンク１０を介して、地上受信器１１へ送信する。地上受信器１１は、良く知られているように、エンドユーザが所有するかまたは賃借するアンテナの形態を有する。受信器１１によって受信された信号は、エンドユーザが所有するかまたは賃借し、エンドユーザのテレビ１３に接続され、そして、一体化された受信器／復号器１２へ送信される。受信器／復号器１２は、暗号化されたＥＭＭおよび暗号化されたＥＣＭとともに、スクランブルされた番組を得るために、信号を多重分離する。
【００４１】
プログラムがスクランブルされていれば、受信器／復号器１２は、対応するＥＣＭをＭＰＥＧ−２ストリームから抽出し、そのＥＣＭをエンドユーザの「ドーター」スマートカード３０に送信する。これは、受信器／復号器１２のハウジングにうまく収容される。ドータースマートカード３０は、エンドユーザが、ＥＣＭを暗号解読し、番組にアクセスする権利を有するかどうかを制御する。もしその権利を有していなければ、番組をデスクランブルしてはならないことを指示するために、否定ステータスが、受信器／復号器１２に送信される。エンドユーザが、権利を有していれば、ＥＣＭが、暗号解読され、制御ワードが、抽出される。そして、復号器１２は、この制御ワードを用いて、番組をデスクランブルすることができる。ＭＰＥＧ−２ストリームは、解凍され、ビデオ信号に変換され、テレビ１３へ送信される。
明らかなように、オーディオビジュアルデータの暗号化および暗号解読で使用されるものと同じ条件付きアクセス原理が、復号器に接続されたＰＣのためのファイルデータ、インターネット接続を介して収集されたデータ、衛星リンクなどを介しての放送のようなその他のデータを暗号化するのに使用されてもよい。
【００４２】
トランスポートストリーム内のデータテーブルの編成
図３に示されるように、放送ＭＰＥＧ−２データトランスポートストリームは、番組関連テーブル４０（「ＰＡＴ」）を含めて、標準フォーマットを有するいくつかのパケットを含む。パケットのヘッダーに存在するＰＩＤは、ＭＰＥＧ−２規格によって決められており、このパケットの場合には、０×００の値である。番組アクセステーブル４０は、番組データにアクセスするためのエントリーポイントを提供し、ストリーム内の所定のサービスまたはチャンネルに関連する番組マップテーブル（「ＰＭＴ」）４１、４２のＰＩＤ値を参照するテーブルを含む。それぞれの番組マップテーブル４１、４２は、さらに、そのサービスに関連するオーディオテーブル４３およびビデオテーブル４４のパケットストリームのＰＩＤ値への参照を含む。
【００４３】
図示されるように、番組マップテーブル４２は、さらに、ＥＣＭデータ４５、４６のようなそのサービスに関連する付加的なデータを含むその他のパケット４５、４６、４７のＰＩＤ値への参照を含む。特に、インターネットプロトコルまたはＩＰデータ４７は、ＰＡＴテーブル４０を介してアクセスされたパケット内のサービスによって伝送されてもよい。ＭＰＥＧ−２標準トランスポートストリームにおいては、そのようなデータは、トランスポートストリームの特定のセクションに存在するＤＳＭ−ＣＣデータおよびオブジェクトカルーセル内に編成される。ＤＳＭ−ＣＣフォーマットに関するより詳細なことは、ＭＰＥＧに関連する規格ＩＳＯ１３８１８−６を参照されたい。
【００４４】
番組アクセステーブルＰＡＴ４０に加えて、ＭＰＥＧトランスポートストリームは、さらに、条件付きアクセステーブル５１（「ＣＡＴ」）を備え、それのＰＩＤ値は、０×０１に決められている。したがって、このＰＩＤ値を含むパケットヘッダーは、すべて、アクセス制御情報を含むものとして、自動的に識別される。ＣＡＴテーブル５１は、１つかまたはそれ以上の条件付きアクセスシステムに関連するＥＭＭデータに対応するＭＰＥＧパケット４８、４９、５０のＰＩＤ値を参照する。ＰＭＴパケットの場合と同様に、ＣＡＴテーブル５１内で参照されるＥＭＭパケットのＰＩＤ値は、決められておらず、システムオペレータの好みで決定されてもよい。
ＭＰＥＧ−２規格は、上述したＰＡＴテーブル値およびＣＡＴテーブル値を除けば、きわめて少ない固定ＰＩＤ値しか規定していない。したがって、ある一定の範囲内にあれば、大部分のＰＩＤ値は、オペレータによって決定されてもよい。
【００４５】
トランスポートパケットおよびプライベートセクションデータのフォーマット
良く知られているように、ＭＰＥＧトランスポートパケットは、ヘッダーを含めて１８８バイトの固定長を有する。標準パケットにおいては、同期データに続く３バイトのヘッダーは、以下のものからなる。
表１
トランスポートエラー表示                １ビット
ペイロードユニット表示                  １ビット
トランスポート優先順位                  １ビット
ＰＩＤ                                  １３ビット
トランスポートスクランブル制御          ２ビット
適合領域制御                            ２ビット
連続性カウンタ                          ４ビット
これらの領域に含まれる特徴は、大部分は、ＭＰＥＧ規格によって決定される。
【００４６】
以上、トランスポートパケットのヘッダーのフォーマットを説明した。ＭＰＥＧ−２規格に準拠して、パケットペイロードに含まれる情報は、伝送されるデータの種類に基づいて、さらなるレベル構造に支配される。オーディオ、ビジュアル、テレテキスト、サブタイトル、または、そのような急速に進化した同時代的なその他のデータの場合、情報は、パケット化基本ストリームすなわちＰＥＳとして知られている形態で組み立てられる。送信されるパケットのペイロードを組み立てることによって形成されるこのデータストリームは、それ自身が、一連のパケットからなり、それぞれのパケットは、パケットヘッダーおよびペイロードを備える。トランスポートストリーム内の送信パケットと違って、ＰＥＳパケットの長さは、可変である。
【００４７】
ＩＰデータまたはＥＣＭおよびＥＭＭデータのようなその他の種類のデータの場合、ＰＥＳパケット化と異なるフォーマットは、禁止される。特に、トランスポートパケットペイロードに含まれるデータは、一連のセクションまたはテーブルに分割され、そのテーブルまたはセクションのヘッダーは、そのテーブルを識別するテーブルＩＤすなわちＴＩＤを含む。
データの大きさに応じて、テーブルは、パケットペイロード内に完全に含まれてもよく、あるいは、いくつかのトランスポートパケットにわたって、一連のセクション内にまたがってもよい。そのような場合には、それぞれのセクションは、ＴＩＤ拡張値を含む。ＭＰＥＧ−２においては、「テーブル」という用語は、しばしば、データのただ１つのテーブルを意味し、あるいは、１つのテーブルを構成するための同じＴＩＤ値を有するいくつかのセクションの結合を意味するのに使用され、それに対して、「セクション」は、一般には、同じＴＩＤ値を有する複数のテーブルの中の１つを意味するのに使用される。
【００４８】
これらのテーブルまたはセクション内に保持される情報を指示するのに使用される実際のＴＩＤ値は、ＭＰＥＧ−２規格によって決められておらず、一般には、サービスまたはサービスのブーケのオペレータの裁量によって定義されてもよい。しかしながら、以下で説明するように、ＤＳＭ−ＣＣセクションの場合には、ＴＩＤ値は、ＤＶＢが提案するＥＴＳＩ規格ＥＮ３０１  １９２によって予め定められた値に決められる。
トランスポートパケットデータおよびＰＥＳパケットデータの場合と同様に、テーブルまたはセクションのデータ構造またはシンタックスは、ＭＰＥＧ−２規格によって定義される。プライベートテーブルデータまたはプライベートセクションデータのための２つの可能なシンタックス形態が、提案されている。すなわち、長い形態と短い形態である。テーブルシンタックスに関するさらに詳細な知識は、ＭＰＥＧ−２規格を参照されたい。
【００４９】
インターネットプロトコルデータのトランスポートストリーム内へのカプセル化
インターネットプロトコルデータの通信において様々なアドレスを使用することをより良く理解するには、例えば、標準的なＰＣ／サーバネットワーク環境で見られるような従来の固定テレコムネットワークの状態を考えればわかりやすい。そのようなネットワークにおいては、一般的に、いくつかの層が、ＯＳＩネットワークモデルに基づいて定義され、下部の３つの層は、通常、物理層、データリンク層、および、ネットワーク層からなる。
物理層は、最も低い層を表現し、情報を伝送するのに使用される物理的なモデム／ケーブル接続に対応する。
【００５０】
データリンク層は、ネットワーク内のハードウェア要素によって強いられるデータフォーマットに対応し、例えば、良く知られているイーサネット（登録商標）フォーマットおよびトークンリングフォーマットなどがある。メッセージは、媒体アクセス制御アドレスすなわちＭＡＣアドレスを用いて、この層で送受信される。従来、ＭＡＣアドレスは、固定値の６バイトアドレスである。これらのアドレスは、装置の製造時に組み込まれ、例えば、ネットワークに存在するハードウェア装置のイーサネット（登録商標）カードまたはトークンリングカード内に永久的な形で記憶される。
【００５１】
ネットワーク層は、データリンク層の上位にある層に対応する。この層で動作するメッセージは、上述したような種類のデータリンク層メッセージ内にカプセル化される。インターネット情報の場合、この層は、インターネットプロトコルフォーマットすなわちＩＰフォーマットに対応し、このレベルでのメッセージの宛先は、ＩＰアドレスによって識別される。これらのＩＰアドレスは、４バイト長であり、ＭＡＣアドレス値とは対照的に、ネットワークマネジャによって所定のユーザに割り当てられる。
【００５２】
例えば、イーサネット（登録商標）ワイヤを介して送信されるＩＰメッセージの場合、以下のようなメッセージ構造である。
イーサネット（登録商標）ヘッダー  （６バイトのＭＡＣアドレスを備える）
ＩＰヘッダー  （４バイトのＩＰアドレスを備える）
実際のデータ
ＩＰトレーラー
イーサネット（登録商標）トレーラー
【００５３】
この種の構造は、また、ＭＰＥＧ放送トランスポートストリームのテーブルまたはセクション内にカプセル化されたＩＰメッセージまたはデータグラムの場合にも維持される。これは、復号器がテレコムコネクションを介してかまたは放送によってメッセージを送受信するようなほとんどの放送システムのハイブリッド特性を部分的に反映している。そのような環境においては、明らかに、システムのそれぞれの分岐を介して送信されるＩＰデータグラムのために、アドレス指定するための統一されたポリシーを有することは望ましいことである。
ＤＶＢが提案するＥＴＳＩ規格ＥＮ３０１  １９２は、ＩＰデータグラム情報を伝送するＭＰＥＧセクションのための標準フォーマットを提案している。図４は、そのようなセクションのシンタックスを示す。
【００５４】
そのようなセクションのＰＩＤ値は、ＰＭＴテーブルによって割り当てられたＰＩＤ値によって決まるが、ＩＰデータグラムのためのＴＩＤ値は、実際には、規格によって０×３Ｅに決められ、プライベートデータを備えたＤＳＭ−ＣＣセクションに対応する。
図４からわかるように、セクションによってアドレス指定されるべきある特定の装置の６バイトのＭＡＣアドレス値が、セクション４７内に展開されている。図５は、セクション４７内のＭＡＣアドレス５２の構成を示す。
【００５５】
図４にさらに示されるように、この規格は、ｐａｙｌｏａｄ＿ｓｃｒａｍｂｌｉｎｇ＿ｃｏｎｔｒｏｌ領域によって指示されるように、スクランブルされるセクション内に保持されるＩＰデータの可能性を見越している。さらに、ＭＡＣアドレスは、それ自身、ａｄｄｒｅｓｓ＿ｓｃｒａｍｂｌｉｎｇ＿ｃｏｎｔｒｏｌ領域によって指示されるようなものであってもよい。これらの領域に含まれる値に基づいて、受信器／復号器は、オーディオビジュアル番組の暗号解読を条件付きアクセスシステムを用いて実行するときのやり方に類似する方法で、アドレスデータまたはペイロードデータの暗号解読を実行する（必要であれば）。図１および図２の説明を参照されたい。
良く知られているように、セクションは、また、ｓｅｃｔｉｏｎ＿ｎｕｍｂｅｒ領域によって与えられるそれの拡張番号、そして、ｌａｓｔ＿ｓｅｃｔｉｏｎ＿ｎｕｍｂｅｒ領域によって与えられるような、完全なテーブルを組み立てるセクション総数を指示する。
【００５６】
システムアーキテクチャおよびアドレス管理
ここで、図６を参照して、様々なＭＡＣアドレスに対処するように適合されたハイブリッド放送およびテレコム通信システムのシステムアーキテクチャを説明する。
上述したように、放送センターは、ディジタルテレビジョン信号を衛星９を介して受信器１１および復号器１２に送信する送信器６を含む。この例においては、ホームシステムは、さらに、復号器１２に接続されたＰＣ装置５５を備える。ＰＣ装置は、モデムチャンネル５６を介して、放送センターに存在するサービスアドレスアロケーションサーバ５７およびＩＰ放送サーバ５８を含む中央送信ステーション６０と通信する。
【００５７】
様々なアドレスデータを処理するときの、そして、ＩＰデータをトランスポートストリームに挿入するときのサーバ５７、５８のそれぞれの機能を、以下で詳細に説明する。これらの機能が２つのサーバに分割されているのは、そのようなデータを処理するのを容易にするためであり、もちろん、例えば、すべての機能を実現するただ１つのサーバを使用する別の構成も可能である。
ＰＣ５５および復号器１２の構成は、ウェブを閲覧したいユーザに特に適合させたものである。なぜなら、より大きな処理能力を有するＰＣは、衛星リンクを介してまたは直接モデム接続を介してダウンロードされるかもしれない大量のＩＰデータをより良好に処理することができるからである。しかしながら、ＰＣの使用は、必須なものではなく、特に、復号器が、それ自身のモデムおよび十分な処理能力を備えて独立して動作する場合にはそうである。
【００５８】
上述したように、図６に示されるシステムは、ハイブリッド放送／テレコムアーキテクチャを使用する。実際には、データは、このシステムにおいて、おおむね時計回りに流れ、ＰＣ／復号器の組み合わせ１２、５５からのインターネットデータの要求は、テレコムリンク５６を介して、放送サーバ５７、５８に送信され、放送サーバ５７、５８は、要求を処理して、衛星放送リンク９を介して、インターネットデータをダウンロードする。また、システムは、例えば、衛星リンク９を介してのデータの送信に障害または故障がある場合、テレコムネットワーク５６を介して、データをＰＣ／復号器の組み合わせへダウンロードするように構成されてもよい。矢印５９によって示されるように、インターネットデータすなわちＩＰデータは、ＩＰ放送サーバ５９によって、例えば、いくつかの外部サーバから収集され、放送トランスポートストリームの中に挿入する準備がなされる。
【００５９】
従来のシステムにおいては、一般に、製造業者がＰＣまたは復号器のモデム通信カード内に定義したＭＡＣアドレスが、放送センターからＰＣ／復号器へのデータリンク層通信をアドレス指定するのに使用される。これらの固定アドレスは、ＰＣ／復号器から放送センターへ通知され、その後に、特定のＰＣまたは復号器に宛てたトランスポートストリームのデータグラムセクションに挿入される。
この実施形態においては、それとはかなり異なるシステムが、提案される。セッションの開始時点において、ＰＣ／復号器の接続と同時に、ＰＣ５５は、テレコムネットワーク５６を介して、ＭＡＣアドレス要求メッセージを放送センターに送信する。このメッセージは、少なくとも、放送センターがそのユーザを識別するのを可能にするユーザのＩＰアドレスを含む。思い出されるように、ＩＰアドレスは、インターネット講読を始めたときにネットワークマネジャ（または、放送オペレータ）によって割り当てられた、一般的には固有のネットワークレベルアドレスである。
【００６０】
ＩＰアドレスに加えて、要求メッセージは、放送オペレータのサービスにアクセスするために、ユーザの一般講読ＩＤに対応するオペレータＩＤを含んでもよい。
さらに、要求メッセージは、要求するサービスの種類を指示する表示を含んでもよい。
以下で説明するように、一般に、３つの種類のサービスが、予想される。すなわち、（ｉ）接続ユニキャストサービス、ここでは、セッションの全期間を通して、ユーザは、完全にモデム接続された状態にある。（ii）非接続ユニキャストサービス、ここでは、初期コンフィギュレーションメッセージに関係なく、ＰＣ／復号器は、それのモデムを介して接続されていない。（iii）マルチキャストサービス。こられの様々なサービスは、異なるＭＡＣアドレスを割り当てることによって反映される。
【００６１】
接続ユニキャストモードにおいては、ユーザは、最大限のインターネットサービスを提供され、テレコムリンク５６を介して、インターネットデータを要求することができ、このデータは、そのユーザだけに送信される。非接続ユニキャストモードにおいては、ユーザは、放送センターによって自主的に送信されたデータを受信することができるが、それにもかかわらず、そのデータは、そのユーザだけに宛てられる。マルチキャストモードにおいては、ユーザは、同一メッセージを受信するユーザからなるグループ（これは、ネットワークに存在するユーザのすべてかまたは一部であってもよい）の一員を構成する。
【００６２】
要求メッセージを受信すると、サービスアドレスアロケーションサーバは、図７に示されるような種類のサービスアドレスメッセージを準備し、そして、このメッセージは、ユーザに送り返される。図示されるように、メッセージは、放送データにアクセスするためにＰＣ／復号器によって必要とされるいくつかのデータ要素を含み、オリジナルネットワークＩＤ６０、トランスポートストリームＩＤ６１、および、サービスＩＤ６２からなるいわゆるＤＶＢトリプレットを含む。さらに、メッセージは、そのサービスによって伝送されるデータの種類のリストを含むデータリスト記述子６３、そして、それらのＰＩＤ値（ＰＩＤビデオ、ＰＩＤオーディオ、ＰＩＤ  ＩＰデータ、ＰＩＤ、ＥＣＭ、など）も含む。ネットワークＩＤ値、トランスポートストリームＩＤ値、および、サービスＩＤ値、そして、データリスト記述子内の情報を用いて、復号器は、上述したＰＡＴテーブルおよびＰＭＴテーブルを介して、そのデータを含むサービスに到達することにとりかかる。
【００６３】
さらに、サービスアドレスメッセージは、復号器／ＰＣへアドレス指定されたデータセクションのＴＩＤ値６４を含む。しかしながら、上述したように、ＤＳＭ−ＣＣフォーマットで伝送されるＩＰデータの場合、一般に、この値は、ＥＴＳＩ規格によって０×３Ｅに決められている。
最後に、サービスアドレスメッセージは、符号６５で示される割り当てられたＭＡＣアドレス値を含む。一般に、ＰＣまたは復号器が、それらの製造業者が決めたＭＡＣ値を放送センターに送信するような従来のシステムとは違って、ＭＡＣアドレス６５は、サービスアドレスアロケーションサーバ５７によって生成され、そのサーバ５７は、割り当てられたＭＡＣ値、そして、クロスリンクＩＰアドレス値およびオペレータＩＤ値を含むデータベースを維持する。
【００６４】
割り当てられるＭＡＣアドレスは、部分的に、要求されたサービスの種類、すなわち、接続ユニキャスト、非接続ユニキャスト、または、マルチキャストによって決まる。ユニキャスト接続アドレスは、所定のセッションに割り当てられ、それぞれのセッションごとに可変である。ユニキャスト非接続アドレスは、可変であってもよいが、講読するときに、または、ユーザが最初に接続されたときに割り当てられた固定値であってもよく、その後、そのユーザがユーザの講読を続行している間はいつまでも維持される。最後に、マルチキャストアドレスは、サーバによって特定のＩＰサービスに割り当てられたアドレスに対応し、それは、すでにＭＡＣアドレスにアクセスしているグループ内に存在するすべての復号器によって受信することができる。これには、放送センターへのモデムバックチャンネルまたはテレコム接続を備えていない復号器またはＰＣ／復号器の組み合わさえも含まれてよい。
さらに、割り当てられるＭＡＣアドレスは、帯域幅予約、条件付きアクセスの有無、など、その他のサービス要因によって決定されてもよい。
【００６５】
このような方法によるＭＡＣアドレスの割り当ては、中央放送サーバ５７、５８が、いつでも、特定の復号器または復号器のグループに送信されるＩＰデータを動的に再分配し、処理およびアドレス指定されるべきＭＡＣアドレスの数を最小限に抑えるのを可能にする。これは、トランスポートストリーム内に確保された多数の休眠状態のＭＡＣアドレスを有するという問題を防止するだけでなく、中央サーバが、より少ない数の変化するユーザを管理するのを可能にする。
グループＭＡＣアドレスをマルチキャストモードで使用することによって、ある組の中のすべての復号器が興味のある特定のＩＰデータ（例えば、放送オペレータのホームページ）に、ただ１つのエントリーポイントを介してアクセスすることができ、そして、複数のユーザ固有テーブルを使用する場合に、情報が重複するのを防止する。
【００６６】
さらに、このシステムは、トランスポートストリーム内のいくつかのＭＰＥＧサービス間にデータを動的に割り当てるのを可能にする。図７に示されるように、サービスアドレスメッセージは、また、可変ＤＶＢトリプレットアドレスを含み、中央放送サーバが、トランスポートストリーム内の使用されていないサービスが利用可能になったときに、それらのサービスにＩＰデータを割り当てるのを可能にする。ＭＰＥＧサービスの選択は、例えば、適切な条件付きアクセスシステムによって決定されたトランスポートストリーム内のいくつかのあるいはすべてのサービスにアクセスするユーザの権利を考慮に入れることができる。したがって、また、データの安全な送信を保証することができる。
【００６７】
放送サーバ５８およびサービスアドレスアロケーションサーバ５７によって決定されるこの動的なサービスおよびデータの再分配は、利用可能な帯域幅の最適な使用を可能にする。衛星放送システムに関連してシステムを説明したが、同じ原理が、ケーブルテレビまたはディジタルテレビジョンシステム、あるいは、さらに、ＭＰＥＧトランスポートストリームのような放送フォーマットのパケットストリームによってデータを伝送するあらゆるシステムに適用される。
さらにより広い範囲においては、本発明は、データリンク層、および、従来、ただ１つのテレコム接続を備えたネットワークを含むデータリンク層において決められた媒体アクセス制御アドレスを使用しているネットワーク層においてアドレス情報を含むあらゆるシステムにも適用することができる。
【図１】
2011015422.tif 000003
【図２】
2011015422.tif 000004
【図３】
2011015422.tif 000005
【図４】
2011015422.tif 000006
【図５】
2011015422.tif 000007
【図６】
2011015422.tif 000008
【図７】
2011015422.tif 000009